(57)【要約】【課題】上に載せる物体の底部の大きさに合わせて、サイズを変えることができるキャスター付き載物台を実現する。【解決手段】キャスター（１ａ）を付けた支持部材（２ａ）を、支持部材（２ｂ）と、溝穴（３ａ）、（３ｂ）で固定し、その固定位置と支持部材（２ａ）のキャスター取り付け部との間にて、溝穴（３ａ）、（３ｃ）を利用して、第３の支持部材（２ｃ）と固定し、支持部材（２ｃ）を支持部材（２ｄ）と、溝穴（３ｃ）、（３ｄ）を利用して固定し、支持部材（２ｄ）と支持部材（２ｂ）とを、その固定位置と支持部材（２ｄ）のキャスター取り付け部との間にて、溝穴（３ｄ）、（３ｂ）を利用して固定することで、４個の支持部材を１組に固定して、それぞれの固定箇所の位置調整により、各キャスター間の距離を、その上に載せる物体の底部の大きさに合わせて調整できるようにする、サイズ可変式キャスター付き載物台。【選択図】図２
2008087749.tif 000002
【特許請求の範囲】
【請求項１】
自由な方向に動くことのできるキャスターを取り付けた支持部材４個を、互いに固定し、その固定位置を、支持部材上において、相当な範囲で自由に調整できるようにすることで、各キャスター間の距離を、その上に載せる物体の底部の大きさに合わせて調整可能とすることを特徴とするサイズ可変式キャスター付き載物台。
【請求項２】
前記支持部材を細長い形状とし、その一方の端にキャスターを取付け、支持部材の長手方向に沿って、固定用器具を摺動させることができる溝穴を設けた第１の支持部材を、第１の支持部材と同様な、第２のキャスターを有する第２の支持部材と、それぞれの溝穴で固定用器具を使用して固定し、その固定位置と第１の支持部材のキャスター取り付け部との間の溝穴において、さらに第１の支持部材と同様な第３のキャスターを有する第３の支持部材とを固定用器具で固定し、第３の支持部材をさらに第１の支持部材と同様な第４のキャスターを有する第４の支持部材と、それぞれの溝穴にて固定用器具で固定し、その固定位置と第４の支持部材のキャスター取り付け部との間にて、第４の支持部材と第２の支持部材とを、固定用器具にて固定することで、４個のキャスターを１組に固定して、それぞれの固定箇所の位置調整により、各キャスター間の距離を、その上に載せる物体の底部の大きさに合わせて調整可能とすることを特徴とする、請求項１記載のサイズ可変式キャスター付き載物台。
【請求項３】
前記支持部材を、細長い第１及び第２のサイズ調整部を、キャスター取付け部から、それぞれが直角を成す２方向に張り出させた形状とし、それぞれのサイズ調整部の長手方向に、固定用器具を摺動させることが可能な溝穴を設けた第１の支持部材を、同形状の第２の支持部材と、第１の支持部材の第１のサイズ調整部と第２の支持部材の第２のサイズ調整部に設けた溝穴を利用して、固定用器具にて固定し、さらに第２の支持部材と第３の支持部材、第３の支持部材と第４の支持部材、第４の支持部材と第１の支持部材とを、同様な手段にて互いに固定用器具で固定することにより、各キャスター間の距離を、その上に載せる物体の底部の大きさに合わせて調整可能とすることを特徴とする、請求項１記載のサイズ可変式キャスター付き載物台。
【請求項４】
前期支持部材のキャスター側の端にストッパーを設け、上に載せる物体と載物台とがずれないようにすることを特徴とする、請求項１記載のサイズ可変式キャスター付き載物台。
【請求項５】
前記支持部材を、拡大用支持部材に固定し、さらに大きなサイズの物体を載せることを可能にすることを特徴とする、請求項１記載のサイズ可変式キャスター付き載物台。
【発明の詳細な説明】
【技術分野】
【０００１】  本発明は、家具、器、機器等の底部の下に設置し、床や地面等を移動可能にするサイズ可変式キャスター付き載物台に関するものである。
【背景技術】
【０００２】  家具、機器等において、使用する際キャスターが付いていた方が便利な場合がある。しかしながら、これらの中には、その底部がキャスターを後付けするには適していない形状を有していることもあり、その場合には、その底部に合わせて、専用の載物台を製作しなければならない。
【発明の開示】
【発明が解決しようとする課題】
【０００３】  上に載せる物体の大きさに合わせて、その都度大きさの異なる専用のキャスター付き載物台を作るのではなく、物体の底部の大きさに合わせて、サイズを変えることができる載物台を実現する。この実現にあたり、課題となるのは、簡単に組み上げられること、使用中に物体と載物台がずれないことである。
【課題を解決するための手段】
【０００４】  自由な方向に動くことのできるキャスターを取り付けた支持部材４個を、互いに固定し、その固定位置を、支持部材上において、相当な範囲で自由に調整できるようにすることで、各キャスター間の距離を、その上に載せる物体の底部の大きさに合わせて調整可能とする。また、支部部材のキャスター側の端にストッパーを設けることで、上に載せる物体と載物台とがずれないようにする。さらに、支持部材を、拡大用支持部材に固定することで、より大きなサイズの物体を載せることができるようにする。以上を特徴とするサイズ可変式キャスター付き載物台である。
【発明の効果】
【０００５】  本発明は、４個のキャスター間の距離を変えることができるため、上に載る物体の底部の大きさに合わせることができる。また支持部材端のストッパーにより、上に載せる物体と載物台がずれるのを防止できる。
【発明を実施するための最良の形態】
【０００６】  次に、本発明の実施形態を、図面を参照して説明する。
図１は本発明の実施例１を構成する１組のキャスターと支持部材の斜視図であり、図２は、本発明の実施例１の斜視図である。図３は本発明の実施例１の構成要素となる拡大用支持部材の斜視図であり、図４はその支持部材を加えた構成による実施例１の斜視図である。図５は、本発明の実施例１の構成要素となる拡大用支持部材の実施例２の斜視図であり、図６は、その拡大用支持部材の実施例２を加えた構成を示す斜視図である。図７は本発明の実施例３を構成する１組のキャスターと支持部材の斜視図であり、図８は、本発明の実施例３の斜視図である。図９は本発明の実施例３の構成要素となる拡大用支持部材の斜視図であり、図１０はその拡大用支持部材を加えた場合の組み立て方法を示す斜視図である。
【実施例１】
【０００７】  まず実施例１について説明する。自由な方向に動くことができるキャスター（１）を、細長い形状を有する支持部材（２）の一方の端に取付ける。支持部材（２）は、キャスター取付け部からもう一方の端まで、一定の幅の溝穴（３）を有する。キャスター取付け部の上下面は、溝穴部分の上下面から段差を持ち、上下のそれぞれの段差の高さには、溝穴部分の支持部材の厚みに等しい差がつけてある。本発明の構成にはこのキャスター（１）及び支持部材（２）の組み合わせたものを４組必要とする。この４組のキャスターと支持部材の組み合わせの内、２組はこの段差の低い方からキャスターを取り付け、他の２組は段差の高い方からキャスターを取付ける。【０００８】  第１のキャスター（１ａ）は、支持部材（２ａ）の一方の端に取り付けられている。支持部材（２ａ）と、キャスター（１ｂ）を有する支持部材（２ｂ）とを重ね合わせ、溝穴（３ａ）及び溝穴（３ｂ）を利用してボルト・ナット（４）で固定する。その固定位置と支持部材（２ａ）のキャスター取り付け部との間の溝穴にて、キャスター（１ｃ）を有する支持部材（２ｃ）と、溝穴（３ａ）及び溝穴（３ｃ）を利用してボルト・ナット（５）で固定する。支持部材（２ｃ）をさらにキャスター（１ｄ）を有する支持部材（２ｄ）と重ね合わせて、溝穴（３ｃ）及び溝穴（３ｄ）を利用してボルト・ナット（６）で固定する。支持部材（２ｄ）と支持部材（２ｂ）とを、ボルト・ナット（６）の位置と支持部材（２ｄ）のキャスター取り付け部との間にて、溝穴（３ｄ）及び溝穴（３ｂ）を利用してボルト・ナット（７）で固定する。支持部材（２ａ）及び（２ｄ）は支持部材（２ｂ）及び（２ｃ）と上下の面が逆となっているので、４個の支持部材が互いに干渉することはなく、物体を載せる面も４隅が水平となる。以上で、４個のキャスターが１組に固定される。ボルト・ナット（４）〜（７）と支持部材（２ａ）〜（２ｄ）との固定位置を調節することにより、この載物台の大きさを、その上に載せる物体の底部の大きさに合わせることができる（請求項１、２記載）。【０００９】  各々の支持部材は、そのキャスター側の端に、上面に２個の円柱状を成すストッパー（８ａ）、（８ｂ）、下面にストッパー（８ａ）と同形状の２個のストッパー（８ｃ）、（８ｄ）を有している（請求項４記載）。【００１０】  ボルト・ナット（４）〜（７）による固定を解除し、上から支持部材（２ａ）、（２ｂ）、細長い形状を有し、その中央部に端から端まで、図１における溝穴（３）と同幅の溝穴（１０）を有する、図３に示す拡大用支持部材（９）の順に、各々の溝穴を通してボルト・ナット（１１）で固定する。また同様に上から支持部材（２ｃ）、（２ｄ）、拡大用支持部材（９）の順に各々の溝穴を通してボルト・ナット（１２）で固定する。ボルト・ナット（１１）及び（１２）の、拡大用支持部材及び各々の支持部材の溝穴における位置を調節することにより、さらに大きな底部にもサイズを合わせることが可能になる（請求項５記載）。
【実施例２】
【００１１】  実施例１における拡大用支持部材は、図３に示すような形状だけではなく、図５に示すような四角形等の形状を成していてもよい。拡大用支持部材（１３）には、溝穴（１４ａ）〜（１４ｄ）が設けられている。この場合には、各々の支持部材に取付けるキャスターは同じ側に取り付け、支持部材（２ａ）〜（２ｄ）を個別に拡大用支持部材に、溝穴（１４ａ）〜（１４ｄ）を通してボルト・ナット（１５）〜（１８）で固定する（請求項５記載）。
【実施例３】
【００１２】  次に実施例３について説明する。キャスターを取り付けた支持部材（１９）は、キャスター取付け部から、それぞれが直角を成す２方向に張り出した、細長い第１サイズ調整部（２０）及び第２サイズ調整部（２１）を有している。それぞれのサイズ調整部の長手方向には、固定用器具を摺動させることが可能な長さのある溝穴（２２）、（２３）を設ける。第２サイズ調整部（２１）は、第１サイズ調整部（２０）の張り出し位置から、その厚みだけずれて張り出している。第１の支持部材（１９ａ）を、同形状の第２の支持部材（１９ｂ）と、第１の支持部材（１９ａ）の第１のサイズ調整部（２０ａ）と第２の支持部材（１９ｂ）の第２のサイズ調整部（２１ｂ）に設けた溝穴（２２ａ）、（２３ｂ）を利用して、ボルト・ナット（２４）にて固定する。さらに第２の支持部材（１９ｂ）と第３の支持部材（１９ｃ）、第３の支持部材（１９ｃ）と第４の支持部材（１９ｄ）、第４の支持部材（１９ｄ）と第１の支持部材（１９ａ）とを、同様な手段にて互いにボルト・ナット（２５）、（２６）、（２７）で固定する。以上で、４個のキャスターが１組に固定される。ボルト・ナット（２４）〜（２７）と支持部材（１９ａ）〜（１９ｄ）との固定位置を調節することにより、この載物台の大きさを、その上に載せる物体の底部の大きさに合わせることができる（請求項１、３記載）。【００１３】  各々の支持部材は、キャスター取付け部の端に、上面に直角形状を成すストッパー（２８）を有している（請求項４記載）。【００１４】  拡大用支持部材（３２）は、図９に示すように支持部材の厚み分の段差を持つ、細長い形状を成し、図７における溝穴と同幅の溝穴（３３）、（３４）を有する。溝穴の長さは長くなくてもよい。図８におけるボルト・ナット（２４）〜（２７）による固定を解除し、第１の支持部材（１９ａ）と、第２の支持部材（１９ｂ）とを、第１の拡大用支持部材（３２ａ）の溝穴（３３ａ）、（３４ａ）を利用して、ボルト・ナット（３５）、（３６）にて固定する。さらに第２の支持部材（１９ｂ）と第３の支持部材（１９ｃ）、第３の支持部材（１９ｃ）と第４の支持部材（１９ｄ）、第４の支持部材（１９ｄ）と第１の支持部材（１９ａ）とを、同様に拡大用支持部材を介して互いにボルト・ナットで固定する。以上で、４個のキャスターが１組に固定される。ボルト・ナットの、拡大用支持部材及び各々の支持部材の溝穴における固定位置を調節することにより、さらに大きな底部にもサイズを合わせることが可能になる（請求項５記載）。【００１５】  本発明は以上の構成からなるので、本発明を使用するときは、例えば上に載せる物体底面が長方形の場合には、各々の支持部材を、まずボルト・ナットが溝穴を摺動できる程度に仮止めをし、物体底面よりやや大きく広げる。その上に物体を載せ、ストッパーを物体底面の４隅に合わせるように、大きさを調整する。その後ボルト・ナットを強く締めて固定する。物体底面の幅、奥行きの長さが分かっているときには、その長さに合わせて調整・固定をすればよい。固定した後、上に物体を載せ使用する。支持部材にストッパーがあるので、上に載せた物体とキャスターがずれずに一体で動く。支持部材だけでは、���きさが不足する場合には、拡大用支持部材を追加して使用する。
【図面の簡単な説明】
【００１６】
【図１】本発明の実施例１を構成する１組のキャスターと支持部材の斜視図
【図２】本発明の実施例１の斜視図
【図３】本発明の実施例１の構成要素となる拡大用支持部材の斜視図
【図４】本発明の実施例１の拡大用支持部材を加えた構成による実施形態の斜視図
【図５】本発明の実施例１の構成要素となる拡大用支持部材の実施例２の斜視図
【図６】本発明の実施例１の拡大用支持部材の実施例２を加えた構成による実施形態の斜視図
【図７】本発明の実施例３を構成する１組のキャスターと支持部材の斜視図
【図８】本発明の実施例３の斜視図
【図９】本発明の実施例３の構成要素となる拡大用支持部材の斜視図
【図１０】本発明の実施例３の拡大支持部材を加えた場合の組み立て方法を示す斜視図
【符号の説明】
【００１７】１・・・キャスター
２・・・支持部材
３・・・溝穴
１ａ・・・キャスター
１ｂ・・・キャスター
１ｃ・・・キャスター
１ｄ・・・キャスター
２ａ・・・支持部材
２ｂ・・・支持部材
２ｃ・・・支持部材
２ｄ・・・支持部材
３ａ・・・溝穴
３ｂ・・・溝穴
３ｃ・・・溝穴
３ｄ・・・溝穴
４・・・ボルト・ナット
５・・・ボルト・ナット
６・・・ボルト・ナット
７・・・ボルト・ナット
８ａ・・・ストッパー
８ｂ・・・ストッパー
８ｃ・・・ストッパー
８ｄ・・・ストッパー
９・・・拡大用支持部材
１０・・溝穴
１１・・・ボルト・ナット
１２・・・ボルト・ナット
１３・・拡大用支持部材
１４ａ・・溝穴
１４ｂ・・溝穴
１４ｃ・・溝穴
１４ｄ・・溝穴
１５・・・ボルト・ナット
１６・・・ボルト・ナット
１７・・・ボルト・ナット
１８・・・ボルト・ナット
１９・・・支持部材
２０・・・第１サイズ調整部
２１・・・第２サイズ調整部
２２・・・溝穴
２３・・・溝穴
１９ａ・・・支持部材
１９ｂ・・・支持部材
１９ｃ・・・支持部材
１９ｄ・・・支持部材
２０ａ・・・第１サイズ調整部
２０ｂ・・・第１サイズ調整部
２０ｃ・・・第１サイズ調整部
２０ｄ・・・第１サイズ調整部
２１ａ・・・第２サイズ調整部
２１ｂ・・・第２サイズ調整部
２１ｃ・・・第２サイズ調整部
２１ｄ・・・第２サイズ調整部
２２ａ・・・溝穴
２２ｂ・・・溝穴
２２ｃ・・・溝穴
２２ｄ・・・溝穴
２３ａ・・・溝穴
２３ｂ・・・溝穴
２３ｃ・・・溝穴
２３ｄ・・・溝穴
２４・・・ボルト・ナット
２５・・・ボルト・ナット
２６・・・ボルト・ナット
２７・・・ボルト・ナット
２８・・・ボルト・ナット
２９・・・ボルト・ナット
３０・・・ボルト・ナット
３１・・・ボルト・ナット
３２・・・拡大用支持部材
３３・・・溝穴
３４・・・溝穴
３２ａ・・・拡大用支持部材
３３ａ・・・溝穴
３４ａ・・・溝穴
３５・・・ボルト・ナット
３６・・・ボルト・ナット
【図１】
2008087749.tif 000003
【図２】
2008087749.tif 000004
【図３】
2008087749.tif 000005
【図４】
2008087749.tif 000006
【図５】
2008087749.tif 000007
【図６】
2008087749.tif 000008
【図７】
2008087749.tif 000009
【図８】
2008087749.tif 000010
【図９】
2008087749.tif 000011
【図１０】
2008087749.tif 000012